(57)【要約】【課題】クロスフローファンの着脱時に工具を必要とせず、クロスフローファンの着脱を容易にした構造を有する空気調和機の室内ユニットを提供すること。【解決手段】一側壁に着脱穴１ｃと取付穴１ｂとを有し、着脱穴１ｃは一側壁に対して垂直方向に形成され、取付穴１ｂは一側壁に対して平行方向に形成された本体１と、一側壁の着脱穴１ｃを介して本体１の内部に着脱されるクロスフローファン３と、クロスフローファン３に設けられた回転軸６と、本体１の内部に設けられ、回転軸６の一端を回転自在に軸支してクロスフローファン３を回転駆動させるモータ４と、回転軸６の他端を回転自在に軸支する軸受け２と、を備え、軸受け２は、一側壁に対して平行方向にスライド可能なストッパー５を有し、一側壁の着脱穴１ｃに挿入後、ストッパー５をスライドさせ、ストッパー５の一端を一側壁の取付穴１ｂに挿入することで一側壁に取り付けられるものである。【選択図】図１
2015206482.tif 000002
【特許請求の範囲】
【請求項１】
一側壁に着脱穴と取付穴とを有し、前記着脱穴は前記一側壁に対して垂直方向に形成され、前記取付穴は前記一側壁に対して平行方向に形成された本体と、
前記一側壁の前記着脱穴を介して前記本体の内部に着脱されるクロスフローファンと、
前記クロスフローファンに設けられた回転軸と、
前記本体の内部に設けられ、前記回転軸の一端を回転自在に軸支して前記クロスフローファンを回転駆動させるモータと、
前記回転軸の他端を回転自在に軸支する軸受けと、を備え、
前記軸受けは、
前記一側壁に対して平行方向にスライド可能なストッパーを有し、
前記一側壁の前記着脱穴に挿入後、前記ストッパーをスライドさせ、前記ストッパーの一端を前記一側壁の前記取付穴に挿入することで前記一側壁に取り付けられる
ことを特徴とする空気調和機の室内ユニット。
【請求項２】
前記ストッパーは一端に爪部を有し、
前記一側壁の前記取付穴の開口部に係合部を有し、
前記爪部を前記係合部に引っ掛けることにより前記軸受けは前記一側壁に取り付けられる
ことを特徴とする請求項１に記載の空気調和機の室内ユニット。
【請求項３】
前記ストッパーは他端にスライド量を規制する規制部を有する
ことを特徴とする請求項１または２に記載の空気調和機の室内ユニット。
【請求項４】
前記回転軸の一端は、横断面が四角形、六角形、または半円形である
ことを特徴とする請求項１〜３のいずれか一項に記載の空気調和機の室内ユニット。
【請求項５】
前記軸受けが前記一側壁に取り付けられているかどうかを検知する軸受け検知部を備え、
該軸受け検知部の検知結果に基づいて、
前記軸受けが前記一側壁に取り付けられていたら前記モータへの通電を許可し、前記軸受けが前記一側壁に取り付けられていなかったら前記モータへの通電を禁止する
ことを特徴とする請求項１〜４のいずれか一項に記載の空気調和機の室内ユニット。
【請求項６】
前記軸受け検知部は、
回転部と固定部とを有し、
前記軸受けが前記一側壁に取り付けられた状態では、前記回転部の一端はスライドされた前記ストッパーに押されて前記固定部に接触し、前記軸受けが前記一側壁に取り付けられていない状態では、前記回転部の他端が前記固定部に接触する
ことを特徴とする請求項５に記載の空気調和機の室内ユニット。
【発明の詳細な説明】
【技術分野】
【０００１】
本発明は、空気調和機の室内ユニットに関するものであり、特にクロスフローファンの着脱構造に関するものである。
【背景技術】
【０００２】
従来の空気調和機の室内ユニットにおいて、クロスフローファンの着脱構造が開示されている（たとえば、特許文献１参照）。
【０００３】
特許文献１に記載の空気調和機の室内ユニットは、軸方向に移動可能な連結軸を両端に有するクロスフローファンを備えている。そして、一端の連結軸を軸受けに挿入し、他端の連結軸をモータの回転軸に挿入した後で、連結軸の軸方向および回転方向の移動を規制するため、連結軸のそれぞれをねじ止めすることにより、クロスフローファンは室内ユニットの本体に取り付けられる。
【先行技術文献】
【特許文献】
【０００４】
【特許文献１】特開平５−３２２２００号公報（たとえば、［００３５］、［００３６］、図３〜図５参照）
【発明の概要】
【発明が解決しようとする課題】
【０００５】
しかし、特許文献１に記載の空気調和機の室内ユニットは、クロスフローファンの着脱時にねじを使用する構造であったため、クロスフローファンの着脱時にドライバーなどの工具が必要になってしまい、クロスフローファンの着脱が容易な構造であるとは言えなかった。
【０００６】
本発明は、以上のような課題を解決するためになされたもので、クロスフローファンの着脱時に工具を必要とせず、クロスフローファンの着脱を容易にした構造を有する空気調和機の室内ユニットを提供することを目的としている。
【課題を解決するための手段】
【０００７】
本発明に係る空気調和機の室内ユニットは、一側壁に着脱穴と取付穴とを有し、前記着脱穴は前記一側壁に対して垂直方向に形成され、前記取付穴は前記一側壁に対して平行方向に形成された本体と、前記一側壁の前記着脱穴を介して前記本体の内部に着脱されるクロスフローファンと、前記クロスフローファンに設けられた回転軸と、前記本体の内部に設けられ、前記回転軸の一端を回転自在に軸支して前記クロスフローファンを回転駆動させるモータと、前記回転軸の他端を回転自在に軸支する軸受けと、を備え、前記軸受けは、前記一側壁に対して平行方向にスライド可能なストッパーを有し、前記一側壁の前記着脱穴に挿入後、前記ストッパーをスライドさせ、前記ストッパーの一端を前記一側壁の前記取付穴に挿入することで前記一側壁に取り付けられるものである。
【発明の効果】
【０００８】
本発明に係る空気調和機の室内ユニットによれば、クロスフローファンの着脱時に工具を必要とせず、クロスフローファンの着脱を容易に行うことができる。
【図面の簡単な説明】
【０００９】
【図１】本発明の実施の形態に係る空気調和機の室内ユニットの内部構造を示す概略図である。
【図２】本発明の実施の形態に係る空気調和機の室内ユニットの左側壁を示す斜視図である。
【図３】本発明の実施の形態に係る空気調和機の室内ユニットのモータとクロスフローファンの右軸との連結を示す図である。
【図４】本発明の実施の形態に係る空気調和機の室内ユニットの軸受けとクロスフローファンの左軸との連結を示す図である。
【図５】本発明の実施の形態に係る空気調和機の室内ユニットの軸受けが本体の左側壁に取り付けられる前の状態を示す図である。
【図６】本発明の実施の形態に係る空気調和機の室内ユニットの軸受けが本体の左側壁に取り付けられた状態を示す図である。
【図７】本発明の実施の形態に係る空気調和機の室内ユニットのモータへの通電許可時の状態を説明する概略図である。
【図８】本発明の実施の形態に係る空気調和機の室内ユニットのモータへの通電禁止時の状態を説明する概略図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下の説明で用いる上下左右は、空気調和機の室内ユニットを正面視した際の方向とする。
【００１１】
実施の形態．
図１は、本発明の実施の形態に係る空気調和機の室内ユニットの内部構造を示す概略図、図２は、本発明の実施の形態に係る空気調和機の室内ユニットの左側壁１ａを示す斜視図である。
空気調和機の室内ユニットは、箱体である本体１の内部に、回転軸６を有するクロスフローファン３と、クロスフローファン３を回転駆動するモータ４と、クロスフローファン３の回転軸６を回転自在に軸支する軸受け２と、を備えている。また、本体１の左側壁１ａには、図２に示すように左側壁１ａに対して垂直方向に貫通した、クロスフローファン３を着脱するための着脱穴１ｃが形成されている。なお、本体１の左側壁１ａは本発明の「一側壁」に相当する。
【００１２】
クロスフローファン３は、一定長の複数のブレード３ｂを仕切り円板３ｃ間に備えることによって円柱状に配列した複数の一連の羽根車３ａを回転軸方向に組み合わせて形成されている。そして、モータ４により回転駆動されたクロスフローファン３は、本体１の内部に室内空気を吸い込み、熱交換器（図示せず）を経て冷風または温風となった後で、室内に吹き出し、室内空気を循環させる。
【００１３】
図３は、本発明の実施の形態に係る空気調和機の室内ユニットのモータ４とクロスフローファン３の右軸６ａとの連結を示す図、図４は、本発明の実施の形態に係る空気調和機の室内ユニットの軸受け２とクロスフローファン３の左軸６ｂとの連結を示す図である。
クロスフローファン３の回転軸６は、右側に設けられた右軸６ａと左側に設けられた左軸６ｂとで構成されている。図３に示すように、右軸６ａは横断面が四角形状を有しており、モータ４の駆動軸受け９は横断面が四角形状の穴部９ａを有している。また、図４に示すように、左軸６ｂは横断面が円形状を有しており、軸受け２は横断面が円形状の穴部２ａを有している。
【００１４】
次に、クロスフローファン３の取り付け方法について説明する。
まず、クロスフローファン３の右軸６ａを本体１の左側壁１ａの着脱穴１ｃから本体１の内部に入れ、回転軸方向にスライドさせて右軸６ａを駆動軸受け９の穴部９ａに挿入する。そして、軸受け２を本体１の左側壁１ａの着脱穴１ｃから本体１の内部に入れ、穴部２ａを左軸６ｂに挿入する。
【００１５】
なお、回転軸６は、右軸６ａと左軸６ｂとを一体として構成してもよいし、別体として構成してもよい。また、右軸６ａおよび駆動軸受け９の穴部９ａの形状は、横断面が四角形状に限定されるものではなく、横断面が六角形や半円形など、モータ４により駆動された際に右軸６ａが駆動軸受け９に対して滑らないような形状であればよい。
【００１６】
図５は、本発明の実施の形態に係る空気調和機の室内ユニットの軸受け２が本体１の左側壁１ａに取り付けられる前の状態を示す図、図６は、本発明の実施の形態に係る空気調和機の室内ユニットの軸受け２が本体１の左側壁１ａに取り付けられた状態を示す図である。なお、図５および図６において、（ａ）は軸受け２の背面図、（ｂ）は軸受け２および本体１の左側壁１ａの側面図、（ｃ）は軸受け２および本体１の左側壁１ａの側面概略図である。
図５および図６に示すように、軸受け２は上下（左側壁１ａに対して平行方向）にスライド可能な棒状のストッパー５を有しており、ストッパー５は、上側に設けられた上ストッパー５ａと下側に設けられた下ストッパー５ｂとで構成されている。また、上ストッパー５ａおよび下ストッパー５ｂの一端には爪部５ｃが設けられている。また、他端にはストッパー５のスライド量を規制する規制部５ｄが設けられている。なお、図５（ａ）に示すように、ストッパー５は軸受け２内に収納できるようになっているため、軸受け２を本体１の左側壁１ａに着脱する際や、軸受け２を持ち運ぶ際にストッパー５が邪魔にならず、ストッパー５が折れたりするのを抑制することができる。
【００１７】
本体１の左側壁１ａには、上ストッパー５ａおよび下ストッパー５ｂが挿入される取付穴１ｂが、左側壁１ａに対して平行方向にそれぞれ形成されている。また、左側壁１ａの取付穴１ｂの開口部の内側には、係合部１ｄがそれぞれ設けられている。
そして、上ストッパー５ａを上側に、下ストッパー５ｂを下側にそれぞれスライドさせ、取付穴１ｂにそれぞれ挿入し、爪部５ｃを係合部１ｄに引っ掛けることにより、軸受け２を本体１の左側壁１ａに取り付ける。
【００１８】
なお、係合部１ｄを軸受け２の背面側に反らすことにより、爪部５ｃが係合部１ｄに引っ掛かっている状態を解除することができる。そして、上ストッパー５ａを下側に、下ストッパー５ｂを上側にそれぞれスライドさせ、取付穴１ｂからそれぞれ抜くことにより、軸受け２が本体１の左側壁１ａに取り付けられた状態を解除することができる。
【００１９】
以上のようにしてクロスフローファン３を本体１に着脱する構造であるため、クロスフローファン３の着脱時に工具を必要とせず、クロスフローファン３の着脱を容易に行うことができる。
【００２０】
なお、本実施の形態では、軸受け２を本体１の左側壁１ａに取り付ける構造として爪部５ｃと係合部１ｄとしたが、それに限定されるものではなく、たとえばストッパー５の一端をねじ、取付穴１ｂをねじ穴とし、ストッパー５の一端を回転させながら取付穴１ｂのねじ穴に挿入することで、取り付けるような構造としてもよい。
【００２１】
図７は、本発明の実施の形態に係る空気調和機の室内ユニットのモータ４への通電許可時の状態を説明する概略図、図８は、本発明の実施の形態に係る空気調和機の室内ユニットのモータ４への通電禁止時の状態を説明する概略図である。
図７および図８に示すように、本体１の左側壁１ａの内部には回転部１０ａと固定部１０ｂとからなる軸受け検知部１０が設けられている。回転部１０ａは中央部を中心に回転するようになっており、その下側に設けられた固定部１０ｂと左端部または右端部が接触するようになっている。なお、軸受け検知部１０は外部から力が加わらない状態では、回転部１０ａの右端部と固定部１０ｂとが接触するようになっている。
【００２２】
図７に示すように、軸受け２が本体１の左側壁１ａに取り付けられた状態では下ストッパー５ｂが下側にスライドされており、回転部１０ａは下ストッパー５ｂにより下側に押されることで、その左端部が固定部１０ｂに接触するようになっている。また、図８に示すように、軸受け２が本体１の左側壁１ａに取り付けられた状態から解除された状態では下ストッパー５ｂが上側にスライドされており、回転部１０ａは外部から力が加わらないため、その右端部が固定部１０ｂと接触するようになっている。
【００２３】
そして、軸受け検知部１０は、回転部１０ａの左端部と固定部１０ｂとが接触していたら軸受け２が本体１の左側壁１ａに取り付けられた状態であると検知し、回転部１０ａの右端部と固定部１０ｂとが接触していたら、軸受け２が本体１の左側壁１ａに取り付けられた状態から解除された状態であると検知する。
【００２４】
制御部（図示せず）は、軸受け検知部１０からの情報に基づいて、軸受け２が本体１の左側壁１ａに取り付けられた状態であればモータ４への通電を許可し、軸受け２が本体１の左側壁１ａに取り付けられた状態から解除された状態であればモータ４への通電を禁止する。
【００２５】
そのため、クロスフローファン３が本体１に取り付けられている状態でしかモータ４は回転せず、クロスフローファン３の取り外し時には回転が自動停止するため、安全性を向上させることができる。
【００２６】
以上のように、本実施の形態に係る空気調和機の室内ユニットによれば、クロスフローファン３の着脱時に工具を必要とせず、クロスフローファン３の着脱を容易に行うことができる。また、クロスフローファン３が本体１に取り付けられている状態でしかモータ４は回転せず、クロスフローファン３が本体１に取り付けられていない状態では回転しないため、安全性を向上させることができる。
そのため、一般ユーザーが容易かつ安全にクロスフローファン３を本体１に着脱することができ、クロスフローファン３の清掃を容易に行うことができる。
【符号の説明】
【００２７】
１  本体、１ａ  左側壁、１ｂ  取付穴、１ｃ  着脱穴、１ｄ  係合部、２  軸受け、２ａ  穴部、３  クロスフローファン、３ａ  羽根車、３ｂ  ブレード、３ｃ  仕切り円板、４  モータ、５  ストッパー、５ａ  上ストッパー、５ｂ  下ストッパー、５ｃ  爪部、５ｄ  規制部、６  回転軸、６ａ  右軸、６ｂ  左軸、９  駆動軸受け、９ａ  穴部、１０  軸受け検知部、１０ａ  回転部、１０ｂ  固定部。
【図１】
2015206482.tif 000003
【図２】
2015206482.tif 000004
【図３】
2015206482.tif 000005
【図４】
2015206482.tif 000006
【図５】
2015206482.tif 000007
【図６】
2015206482.tif 000008
【図７】
2015206482.tif 000009
【図８】
2015206482.tif 000010